(57)【要約】  平衡−不平衡変換機能を有し、不平衡端子側のインピーダンスに比べて、平衡端子側のインピーダンスを４倍よりも大きくすることが可能とされている弾性波フィルタ装置を提供する。  不平衡端子３に第１，第２の弾性波フィルタ部７，８が接続されており、第１，第２の弾性波フィルタ部７，８が、それぞれ、第１〜第３のＩＤＴ１１〜１３及び第４〜第６のＩＤＴ１４〜１６を有し、第１，第２のＩＤＴ１１，１３及び第４，第６のＩＤＴ１４，１６の各一端が共通接続されて不平衡端子３に接続されており、第２のＩＤＴ１２及び第５のＩＤＴ１５が、弾性波伝搬方向に沿って分割された第１〜第３分割ＩＤＴ部１２ａ〜１２ｃ、１５ａ〜１５ｃを有し、第２分割ＩＤＴ部１２ｂ及び第５分割ＩＤＴ部１５ｂが、それぞれ、第１，第２の平衡端子４，５に接続されている、弾性波フィルタ装置１。
2007129548.tif 000002
【特許請求の範囲】
【請求項１】
不平衡端子と、第１，第２の平衡端子とを有するバランス型弾性波フィルタ装置であって、
弾性波伝搬方向に沿って順に配置された第１〜第３のＩＤＴを有し、第２のＩＤＴが、弾性波伝搬方向に沿って３分割することにより設けられた第１〜第３分割ＩＤＴ部を有する第１の弾性波フィルタ部と、
前記弾性波伝搬方向に沿って順に配置された第４〜第６のＩＤＴを有し、第５のＩＤＴが、弾性波伝搬方向に沿って３分割することにより設けられた第１〜第３分割ＩＤＴ部を有する第２の弾性波フィルタ部とを備え、
前記不平衡端子に、前記第１の弾性波フィルタ部の第１，第３のＩＤＴの一端と、前記第２の弾性波フィルタ部の第４，第６のＩＤＴの一端とが接続されており、
前記第１〜第３のＩＤＴ及び第４〜第６のＩＤＴは、前記不平衡端子から第１の平衡端子に伝送する信号の位相と、前記不平衡端子から第２の平衡端子に伝送する信号の位相とが１８０度異なるように構成されており、
前記第２のＩＤＴは、第１〜第３分割ＩＤＴ部の各一端を共通接続している第１の共通バスバーを有し、第２分割ＩＤＴ部の他端は第１の平衡端子に接続されており、第１，第３分割ＩＤＴ部の各他端はアース端子に接続されており、
前記第５のＩＤＴは、第１〜第３分割ＩＤＴ部の各一端を共通接続している第２の共通バスバーを有し、第２分割ＩＤＴ部の他端は第２の平衡端子に接続されており、第１，第３分割ＩＤＴ部の各他端はアース端子に接続されている、弾性波フィルタ装置。
【請求項２】
不平衡端子と、第１，第２の平衡端子とを有するバランス型弾性波フィルタ装置であって、
弾性波伝搬方向に沿って順に配置された第１〜第３のＩＤＴを有し、第２のＩＤＴが、弾性波伝搬方向に沿って３分割することにより設けられた第１〜第３分割ＩＤＴ部を有する第１の弾性波フィルタ部と、
前記弾性波伝搬方向に沿って順に配置された第４〜第６のＩＤＴを有し、第５のＩＤＴが、弾性波伝搬方向に沿って３分割することにより設けられた第１〜第３分割ＩＤＴ部を有する第２の弾性波フィルタ部とを備え、
前記不平衡端子に、前記第１の弾性波フィルタ部の第１，第３のＩＤＴの一端と、前記第２の弾性波フィルタ部の第４，第６のＩＤＴの一端とが接続されており、
前記第１〜第３のＩＤＴ及び第４〜第６のＩＤＴは、前記不平衡端子から第１の平衡端子に伝送する信号の位相と、前記不平衡端子から第２の平衡端子に伝送する信号の位相とが１８０度異なるように構成されており、
前記第２のＩＤＴは、第１〜第３分割ＩＤＴ部を共通接続している第１の共通バスバーを有し、前記第２のＩＤＴの前記第１，第３分割ＩＤＴ部の第１の共通バスバーに接続されている側と反対側の端部が第１の平衡端子に接続されており、第２分割ＩＤＴ部の第１の共通バスバーに接続されている側と反対側の端部がアース端子に接続されており、
前記第５のＩＤＴは、第１〜第３分割ＩＤＴ部の各一端を共通接続している第２の共通バスバーを有し、前記第５のＩＤＴの第１，第３分割ＩＤＴ部の第２の共通バスバーに接続されている側と反対側の端部が第２の平衡端子に接続されており、第２分割ＩＤＴ部の第１の共通バスバーに接続されている側と反対側の端部がアース端子に接続されている、弾性波フィルタ装置。
【請求項３】
不平衡端子と、第１，第２の平衡端子とを有するバランス型弾性波フィルタ装置であって、
弾性波伝搬方向に沿って順に配置された第１〜第３のＩＤＴを有し、第１，第３のＩＤＴが、それぞれ、弾性波伝搬方向に沿って２分割することにより設けられた第１，第２分割ＩＤＴ部を有する第１の弾性波フィルタ部と、
弾性波伝搬方向に沿って順に配置された第４〜第６のＩＤＴを有し、第４，第６のＩＤＴが、それぞれ、弾性波伝搬方向に沿って２分割することにより設けられた第１，第２分割ＩＤＴ部を有する第２の弾性波フィルタ部を備え、
前記不平衡端子に、前記第１の弾性波フィルタ部の第２のＩＤＴの一端と、前記第２の弾性波フィルタ部の第５のＩＤＴの一端とが接続されており、
前記第１，第３，第４，第６のＩＤＴは、第１，第２分割ＩＤＴ部の各一端を共通接続している第１〜第４の共通バスバーを有し、
前記第１のＩＤＴの第１分割ＩＤＴ部及び前記第３のＩＤＴの第２分割ＩＤＴ部の各他端が共通接続されて第１の平衡端子に接続されており、前記第４のＩＤＴの第１分割ＩＤＴ部及び第６のＩＤＴの第２分割ＩＤＴ部の各他端が共通接続されて第２の平衡端子に接続されており、
第１のＩＤＴの第２分割ＩＤＴ部、第３のＩＤＴの第１分割ＩＤＴ部、第４のＩＤＴの第２分割ＩＤＴ部、第６のＩＤＴの第１分割ＩＤＴ部の各他端がアース端子に接続されており、
前記不平衡端子から前記第１の平衡端子に伝送する信号の位相と、前記不平衡端子から前記第２の平衡端子に伝送する信号の位相とが１８０度異なるように前記第１〜第６のＩＤＴが構成されている、弾性波フィルタ装置。
【請求項４】
不平衡端子と、第１，第２の平衡端子とを有するバランス型弾性波フィルタ装置であって、
弾性波伝搬方向に沿って順に配置された第１〜第３のＩＤＴを有し、第１，第３のＩＤＴが、それぞれ、弾性波伝搬方向に沿って２分割することにより設けられた第１，第２分割ＩＤＴ部を有する第１の弾性波フィルタ部と、
弾性波伝搬方向に沿って順に配置された第４〜第６のＩＤＴを有し、第４，第６のＩＤＴが、それぞれ、弾性波伝搬方向に沿って２分割することにより設けられた第１，第２分割ＩＤＴ部を有する第２の弾性波フィルタ部を備え、
前記不平衡端子に、前記第１の弾性波フィルタ部の第２のＩＤＴの一端と、前記第２の弾性波フィルタ部の第５のＩＤＴの一端とが接続されており、
前記第１，第３，第４，第６のＩＤＴは、第１，第２分割ＩＤＴ部の各一端を共通接続している第１〜第４の共通バスバーを有し、
前記第１のＩＤＴの第２分割ＩＤＴ部及び前記第３のＩＤＴの第１分割ＩＤＴ部の各他端が共通接続されて第１の平衡端子に接続されており、前記第４のＩＤＴの第２分割ＩＤＴ部及び第６のＩＤＴの第１分割ＩＤＴ部の各他端が共通接続されて第２の平衡端子に接続されており、
第１のＩＤＴの第１分割ＩＤＴ部、第３のＩＤＴの第２分割ＩＤＴ部、第４のＩＤＴの第１分割ＩＤＴ部、第６のＩＤＴの第２分割ＩＤＴ部の各他端がアース端子に接続されており、
前記不平衡端子から前記第１の平衡端子に伝送する信号の位相と、前記不平衡端子から前記第２の平衡端子に伝送する信号の位相とが１８０度異なるように前記第１〜第６のＩＤＴが構成されている、弾性波フィルタ装置。
【請求項５】
前記第１〜第３のＩＤＴが設けられている領域の弾性波伝搬方向両側に設けられた第７，第８のＩＤＴと、前記第４〜第６のＩＤＴが設けられている領域の弾性波伝搬方向両側に設けられた第９，第１０のＩＤＴとをさらに備え、第７，第８のＩＤＴ及び第９，第１０のＩＤＴの各一端が、前記不平衡信号端子に接続されている、請求項３または４に記載の弾性波フィルタ装置。
【請求項６】
請求項１〜５に記載の弾性波フィルタ装置を受信側フィルタとして用い、ラダー型回路構成のフィルタを送信側フィルタとして用いたことを特徴とする、デュプレクサ。
【発明の詳細な説明】
【技術分野】
【０００１】
本発明は、弾性表面波や弾性境界波などの弾性波を利用した弾性波フィルタ装置に関し、より詳細には、平衡−不平衡変換機能を有し、入力インピーダンスに対する出力インピーダンスの大きさを大きくすることが可能とされている、バランス型弾性波フィルタ装置及び該弾性波フィルタ装置を用いたデュプレクサに関する。
【背景技術】
【０００２】
近年、携帯電話機のＲＦ段に使用される弾性表面波フィルタでは、平衡−不平衡変換機能、いわゆるバランの機能を有することが求められている。そのため、平衡−不平衡変換機能を容易にもたせることができ、しかも高周波化に容易に対応し得るので、縦結合共振子型の弾性表面波フィルタがＲＦ段のバンドパスフィルタとして広く用いられている。【０００３】
上記平衡−不平衡変換機能を有する弾性表面波フィルタの出力側には、平衡入力あるいは作動入出力を有するミキサーＩＣ（以下、平衡型ミキサーＩＣと略す）が接続されるのが普通である。【０００４】
平衡型ミキサーＩＣの入力インピーダンスは、通常、１５０〜２００Ωである。これに対して、上記ＲＦ段に用いられている弾性表面波フィルタの入出力インピーダンスは通常５０Ωである。【０００５】
よって、上記平衡型ミキサーＩＣに接続される弾性表面波フィルタでは、出力インピーダンスが５０Ωよりも大きく、１５０〜２００Ω程度とされることが望まれている。【０００６】
そこで、特許文献１には、平衡−不平衡変換機能を有し、入力インピーダンスと出力インピーダンスとの比が１：４程度とされている弾性表面波フィルタ装置が開示されている。図１０は、特許文献１に記載の弾性表面波フィルタ装置の電極構造を模式的に示す平面図である。【０００７】
弾性表面波フィルタ装置５０１は、不平衡端子５０２と、第１，第２の平衡端子５０３，５０４とを有する。不平衡端子５０２に並列に、第１，第２の３ＩＤＴ型の縦結合共振子型弾性波フィルタ部５０５，５０６が接続されている。縦結合共振子型弾性波フィルタ部５０５は、弾性表面波伝搬方向に順に配置された第１〜第３のＩＤＴ５０５ａ〜５０５ｃを有する。ＩＤＴ５０５ａ〜５０５ｃが設けられている領域の弾性表面波伝搬方向両側に、反射器５０５ｄ，５０５ｅが配置されている。縦結合共振子型弾性波フィルタ部５０６も、同様に、第１〜第３のＩＤ５０６ａ〜５０６ｃと、反射器５０６ｄ，５０６ｅとを有する。【０００８】
中央のＩＤＴ５０５ｂ，５０６ｂの各一端が共通接続され、不平衡端子５０２に接続されている。また、第１，第３のＩＤＴ５０５ａ，５０５ｃの一端が共通接続され、第１の平衡端子５０３に接続され、第１，第３のＩＤＴ５０６ａ，５０６ｃの一端が共通接続され、第２の平衡端子５０４に接続されている。【０００９】
第１〜第３のＩＤＴ５０５ａ〜５０５ｃと、第１〜第３のＩＤＴ５０６ａ〜５０６ｃとは、不平衡端子５０２から第１の平衡信号端子５０３に流れる信号の位相と、不平衡端子５０２から第２の平衡端子５０４に流れる信号の位相とが１８０度異なるように構成されている。
【特許文献１】特開２００２−２９０２０３号公報
【発明の開示】
【００１０】
特許文献１に記載の弾性表面波フィルタ装置５０１では、入力端子としての不平衡端子５０２側のインピーダンスと、出力インピーダンスとしての第１，第２の平衡端子５０３，５０４側のインピーダンスとの比を１：３〜１：４程度とすることが可能とされている。すなわち、出力インピーダンスの入力インピーダンスに対する比であるインピーダンス比を４程度とすることが可能とされている。
【００１１】
しかしながら、近年、平衡−不平衡変換機能を有する弾性表面波フィルタの後段に接続される平衡型ミキサーＩＣの入力インピーダンスは、２００Ωよりも高くなってきている。すなわち、上記入力インピーダンスが例えば６００Ω程度と大きいこともある。従って、上記インピーダンス比は４よりも大きく、例えば１２程度の大きな値とされることが望まれている。特許文献１に記載のような従来の弾性表面波フィルタ装置では、このような要望を満たすことはできなかった。
【００１２】
また、近年、弾性表面波フィルタに代えて、パッケージ構造の簡略化を果たし得るため、弾性境界波を利用した弾性境界波フィルタが開発されてきている。このような弾性境界波フィルタにおいても、同様に、平衡−不平衡変換機能を有し、かつ上記インピーダンス比が大きいフィルタが強く望まれている。
【００１３】
本発明の目的は、上述した従来技術の欠点を解消し、平衡−不平衡変換機能を有するだけでなく、平衡端子側のインピーダンスの不平衡端子側のインピーダンスに対する割合であるインピーダンス比を４よりも大きくすることができ、それによって、より広範な回路に接続することが可能とされているバランス型弾性波フィルタ装置及び該弾性波フィルタ装置を用いたデュプレクサを提供することにある。
【００１４】
第１の発明によれば、不平衡端子と、第１，第２の平衡端子とを有するバランス型弾性波フィルタ装置であって、弾性波伝搬方向に沿って順に配置された第１〜第３のＩＤＴを有し、第２のＩＤＴが、弾性波伝搬方向に沿って３分割することにより設けられた第１〜第３分割ＩＤＴ部を有する第１の弾性波フィルタ部と、前記弾性波伝搬方向に沿って順に配置された第４〜第６のＩＤＴを有し、第５のＩＤＴが、弾性波伝搬方向に沿って３分割することにより設けられた第１〜第３分割ＩＤＴ部を有する第２の弾性波フィルタ部とを備え、前記不平衡端子に、前記第１の弾性波フィルタ部の第１，第３のＩＤＴの一端と、前記第２の弾性波フィルタ部の第４，第６のＩＤＴの一端とが接続されており、前記第１〜第３のＩＤＴ及び第４〜第６のＩＤＴは、前記不平衡端子から第１の平衡端子に伝送する信号の位相と、前記不平衡端子から第２の平衡端子に伝送する信号の位相とが１８０度異なるように構成されており、
前記第２のＩＤＴは、第１〜第３分割ＩＤＴ部の各一端を共通接続している第１の共通バスバーを有し、第２分割ＩＤＴ部の他端は第１の平衡端子に接続されており、第１，第３分割ＩＤＴ部の各他端はアース端子に接続されており、前記第５のＩＤＴは、第１〜第３分割ＩＤＴ部の各一端を共通接続している第２の共通バスバーを有し、第２分割ＩＤＴ部の他端は第２の平衡端子に接続されており、第１，第３分割ＩＤＴ部の各他端はアース端子に接続されている、弾性波フィルタ装置が提供される。
【００１５】
第２の発明によれば、不平衡端子と、第１，第２の平衡端子とを有するバランス型弾性波フィルタ装置であって、弾性波伝搬方向に沿って順に配置された第１〜第３のＩＤＴを有し、第２のＩＤＴが、弾性波伝搬方向に沿って３分割することにより設けられた第１〜第３分割ＩＤＴ部を有する第１の弾性波フィルタ部と、前記弾性波伝搬方向に沿って順に配置された第４〜第６のＩＤＴを有し、第５のＩＤＴが、弾性波伝搬方向に沿って３分割することにより設けられた第１〜第３分割ＩＤＴ部を有する第２の弾性波フィルタ部とを備え、前記不平衡端子に、前記第１の弾性波フィルタ部の第１，第３のＩＤＴの一端と、前記第２の弾性波フィルタ部の第４，第６のＩＤＴの一端とが接続されており、前記第１〜第３のＩＤＴ及び第４〜第６のＩＤＴは、前記不平衡端子から第１の平衡端子に伝送する信号の位相と、前記不平衡端子から第２の平衡端子に伝送する信号の位相とが１８０度異なるように構成されており、前記第２のＩＤＴは、第１〜第３分割ＩＤＴ部を共通接続している第１の共通バスバーを有し、前記第２のＩＤＴの前記第１，第３分割ＩＤＴ部の第１の共通バスバーに接続されている側と反対側の端部が第１の平衡端子に接続されており、第２分割ＩＤＴ部の第１の共通バスバーに接続されている側と反対側の端部がアース端子に接続されており、前記第５のＩＤＴは、第１〜第３分割ＩＤＴ部の各一端を共通接続している第２の共通バスバーを有し、前記第５のＩＤＴの第１，第３分割ＩＤＴ部の第２の共通バスバーに接続されている側と反対側の端部が第２の平衡端子に接続されており、第２分割ＩＤＴ部の第１の共通バスバーに接続されている側と反対側の端部がアース端子に接続されている、弾性波フィルタ装置が提供される。
【００１６】
第３の発明によれば、不平衡端子と、第１，第２の平衡端子とを有するバランス型弾性波フィルタ装置であって、弾性波伝搬方向に沿って順に配置された第１〜第３のＩＤＴを有し、第１，第３のＩＤＴが、それぞれ、弾性波伝搬方向に沿って２分割することにより設けられた第１，第２分割ＩＤＴ部を有する第１の弾性波フィルタ部と、弾性波伝搬方向に沿って順に配置された第４〜第６のＩＤＴを有し、第４，第６のＩＤＴが、それぞれ、弾性波伝搬方向に沿って２分割することにより設けられた第１，第２分割ＩＤＴ部を有する第２の弾性波フィルタ部を備え、前記不平衡端子に、前記第１の弾性波フィルタ部の第２のＩＤＴの一端と、前記第２の弾性波フィルタ部の第５のＩＤＴの一端とが接続されており、前記第１，第３，第４，第６のＩＤＴは、第１，第２分割ＩＤＴ部の各一端を共通接続している第１〜第４の共通バスバーを有し、前記第１のＩＤＴの第１分割ＩＤＴ部及び前記第３のＩＤＴの第２分割ＩＤＴ部の各他端が共通接続されて第１の平衡端子に接続されており、前記第４のＩＤＴの第１分割ＩＤＴ部及び第６のＩＤＴの第２分割ＩＤＴ部の各他端が共通接続されて第２の平衡端子に接続されており、第１のＩＤＴの第２分割ＩＤＴ部、第３のＩＤＴの第１分割ＩＤＴ部、第４のＩＤＴの第２分割ＩＤＴ部、第６のＩＤＴの第１分割ＩＤＴ部の各他端がアース端子に接続されており、前記不平衡端子から前記第１の平衡端子に伝送する信号の位相と、前記不平衡端子から前記第２の平衡端子に伝送する信号の位相とが１８０度異なるように前記第１〜第６のＩＤＴが構成されている、弾性波フィルタ装置が提供される。
【００１７】
第４の発明によれば、不平衡端子と、第１，第２の平衡端子とを有するバランス型弾性波フィルタ装置であって、弾性波伝搬方向に沿って順に配置された第１〜第３のＩＤＴを有し、第１，第３のＩＤＴが、それぞれ、弾性波伝搬方向に沿って２分割することにより設けられた第１，第２分割ＩＤＴ部を有する第１の弾性波フィルタ部と、弾性波伝搬方向に沿って順に配置された第４〜第６のＩＤＴを有し、第４，第６のＩＤＴが、それぞれ、弾性波伝搬方向に沿って２分割することにより設けられた第１，第２分割ＩＤＴ部を有する第２の弾性波フィルタ部を備え、前記不平衡端子に、前記第１の弾性波フィルタ部の第２のＩＤＴの一端と、前記第２の弾性波フィルタ部の第５のＩＤＴの一端とが接続されており、前記第１，第３，第４，第６のＩＤＴは、第１，第２分割ＩＤＴ部の各一端を共通接続している第１〜第４の共通バスバーを有し、前記第１のＩＤＴの第２分割ＩＤＴ部及び前記第３のＩＤＴの第１分割ＩＤＴ部の各他端が共通接続されて第１の平衡端子に接続されており、前記第４のＩＤＴの第２分割ＩＤＴ部及び第６のＩＤＴの第１分割ＩＤＴ部の各他端が共通接続されて第２の平衡端子に接続されており、第１のＩＤＴの第１分割ＩＤＴ部、第３のＩＤＴの第２分割ＩＤＴ部、第４のＩＤＴの第１分割ＩＤＴ部、第６のＩＤＴの第２分割ＩＤＴ部の各他端がアース端子に接続されており、前記不平衡端子から前記第１の平衡端子に伝送する信号の位相と、前記不平衡端子から前記第２の平衡端子に伝送する信号の位相とが１８０度異なるように前記第１〜第６のＩＤＴが構成されている、弾性波フィルタ装置が提供される。
【００１８】
第３，第４の発明のある特定の局面では、前記第１〜第３のＩＤＴが設けられている領域の弾性波伝搬方向両側に設けられた第７，第８のＩＤＴと、前記第４〜第６のＩＤＴが設けられている領域の弾性波伝搬方向両側に設けられた第９，第１０のＩＤＴがさらに備えられ、第７，第８のＩＤＴ及び第９，第１０のＩＤＴの各一端が、前記不平衡信号端子に接続される。すなわち、第３，第４の発明は、５ＩＤＴ型の縦結合共振子型弾性波フィルタ部を有するものであってもよい。
【００１９】
本発明の他の特定の局面では、本発明に従って構成された弾性波フィルタ装置を受信側フィルタとして用い、ラダー型回路構成のフィルタを送信側フィルタとして用いたことを特徴とするデュプレクサが提供される。
（発明の効果）
【００２０】
第１の発明によれば、不平衡端子と、第１，第２の平衡端子との間に、上記のように構成された第１，第２の弾性波フィルタ部が接続されているので、平衡−不平衡変換機能が実現される。しかも、第１の弾性波フィルタ部の第２のＩＤＴ及び第２の弾性波フィルタ部の第５のＩＤＴが、それぞれ、第１〜第３分割ＩＤＴ部を有し、第２のＩＤＴの第２分割ＩＤＴ部が、第１の平衡端子に、第５のＩＤＴの第２分割ＩＤＴ部が、第２の平衡端子に接続されているので、不平衡端子側のインピーダンスに比べて、第１，第２の平衡端子側のインピーダンスを非常に大きくすることできる。すなわち、平衡端子側のインピーダンスの不平衡端子側のインピーダンスに対する比であるインピーダンス比を４よりも大きく、１２程度とすることが可能となる。従って、第１，第２の平衡端子に、従来よりも高い入力インピーダンスを有する平衡型ミキサーＩＣなどを接続した場合であっても、インピーダンスマッチングを容易に図ることができる。
【００２１】
第２の発明によれば、不平衡端子と、第１，第２の平衡端子との間に、上記のように構成された第１，第２の弾性波フィルタ部が接続されているので、平衡−不平衡変換機能が実現される。しかも、第１の弾性波フィルタ部の第２のＩＤＴ及び第２の弾性波フィルタ部の第５のＩＤＴが、それぞれ、第１〜第３分割ＩＤＴ部を有し、第２のＩＤＴの第１，第３分割ＩＤＴ部が、第１の平衡端子に、第５のＩＤＴの第１，第３分割ＩＤＴ部が、第２の平衡端子に接続されているので、不平衡端子側のインピーダンスに比べて、第１，第２の平衡端子側のインピーダンスを非常に大きくすることできる。すなわち、平衡端子側のインピーダンスの不平衡端子側のインピーダンスに対する比であるインピーダンス比を４よりも大きく、１２程度とすることが可能となる。従って、第１，第２の平衡端子に、従来よりも高い入力インピーダンスを有する平衡型ミキサーＩＣなどを接続した場合であっても、インピーダンスマッチングを容易に図ることができる。
【００２２】
第３の発明によれば、第１，第２の弾性波フィルタ部が上記のように構成されているので、平衡−不平衡変換機能が実現されている。加えて、第１の弾性波フィルタ部の第２のＩＤＴの一端と、第２の弾性波フィルタ部の第５のＩＤＴの一端とが不平衡端子に接続されていること、並びに第１，第３のＩＤＴが、それぞれ第１，第２の分割ＩＤＴ部を有し、第１のＩＤＴの第１分割ＩＤＴ部及び第３のＩＤＴの第２の分割ＩＤＴ部の一端が共通接続されて第１の平衡端子に接続されており、第４のＩＤＴの第１分割ＩＤＴ部及び第６のＩＤＴの第２分割ＩＤＴ部が共通接続されて第２の平衡端子に接続されていることにより、不平衡端子側のインピーダンスに対する平衡端子側のインピーダンスの比であるインピーダンス比を４より大きくすることができる。すなわち、上記インピーダンス比を１２程度と高くすることができる。よって、従来より大きな入力インピーダンスを有する平衡型ミキサーＩＣを接続した場合であっても、インピーダンスマッチングを容易に図ることができる。
【００２３】
第４の発明によれば、第１，第２の弾性波フィルタ部が上記のように構成されているので、平衡−不平衡変換機能が実現されている。加えて、第１の弾性波フィルタ部の第２のＩＤＴの一端と、第２の弾性波フィルタ部の第５のＩＤＴの一端とが不平衡端子に接続されていること、並びに第１，第３のＩＤＴが、それぞれ第１，第２の分割ＩＤＴ部を有し、第１のＩＤＴの第２分割ＩＤＴ部及び第３のＩＤＴの第１分割ＩＤＴ部の一端が共通接続されて第１の平衡端子に接続されており、第４のＩＤＴの第２分割ＩＤＴ部及び第６のＩＤＴの第１分割ＩＤＴ部が共通接続されて第２の平衡端子に接続されていることにより、不平衡端子側のインピーダンスに対する平衡端子側のインピーダンスの比であるインピーダンス比を４より大きくすることができる。すなわち、上記インピーダンス比を１２程度と高くすることができる。よって、従来より大きな入力インピーダンスを有する平衡型ミキサーＩＣを接続した場合であっても、インピーダンスマッチングを容易に図ることができる。
【図面の簡単な説明】
【００２４】
【図１】図１は、本発明の第１の実施形態に係る弾性波フィルタ装置の電極構造を模式的に示す平面図である。
【図２】図２は、本実施形態の弾性波フィルタ装置の減衰量−周波数特性を示す図である。
【図３】図３（ａ）及び（ｂ）は、第１の実施形態の弾性波フィルタ装置の不平衡端子側のインピーダンススミスチャート及び平衡端子側におけるインピーダンススミスチャートを示す図である。
【図４】図４は、本発明の第２の実施形態に係る弾性波フィルタ装置の電極構造を模式的に示す平面図である。
【図５】図５は、本発明の第３の実施形態に係る弾性波フィルタ装置の電極構造を模式的に示す平面図である。
【図６】図６は、本発明の第４の実施形態に係る弾性波フィルタ装置の電極構造を模式的に示す平面図である。
【図７】図７は、第３の実施形態の変形例に係る弾性波フィルタ装置の電極構造を示す模式的平面図である。
【図８】図８は、第４の実施形態の変形例に係る弾性波フィルタ装置の電極構造を示す模式的平面図である。
【図９】図９は、本発明の他の実施形態としてのデュプレクサの電極構造を示す模式的平面図である。
【図１０】図１０は、従来の弾性波フィルタ装置の電極構造を模式的に示す平面図である。
【図１１】図１１は、比較例の弾性波フィルタ装置の電極構造を示す模式的平面図である。
【図１２】図１２は、比較例の弾性波フィルタ装置の減衰量−周波数特性を示す図である。
【符号の説明】
【００２５】
１…弾性波フィルタ装置
２…圧電基板
３…不平衡端子
４，５…第１，第２の平衡端子
６…１ポート型弾性波共振子
６ａ…ＩＤＴ
６ｂ，６ｃ…反射器
７…第１の弾性波フィルタ部
８…第２の弾性波フィルタ部
１１〜１３…第１〜第３のＩＤＴ
１２ａ〜１２ｃ…分割ＩＤＴ部
１２ｄ…共通バスバー
１４〜１６…第４〜第６のＩＤＴ
１５ａ〜１５ｃ…分割ＩＤＴ部
１５ｄ…共通バスバー
１７ａ，１７ｂ…反射器
１８ａ，１８ｂ…反射器
２１…弾性波フィルタ装置
２７，２８…弾性波フィルタ部
３１〜３３…第１〜第３のＩＤＴ
３２ａ〜３２ｃ…分割ＩＤＴ部
３２ｄ…共通バスバー
３４〜３６…第４〜第６のＩＤＴ
３５ａ〜３５ｃ…分割ＩＤＴ部
３５ｄ…共通バスバー
４１…弾性波フィルタ装置
４７，４８…第１，第２の弾性波フィルタ部
５１〜５３…第１〜第３のＩＤＴ
５１ａ，５１ｂ…分割ＩＤＴ部
５１ｃ…共通バスバー
５３ａ，５３ｂ…分割ＩＤＴ部
５４〜５６…第４〜第６のＩＤＴ
５４ａ，５４ｂ…分割ＩＤＴ部
５４ｃ…共通バスバー
５６ａ，５６ｂ分割ＩＤＴ部
５６ｃ…共通バスバー
５７ａ，５７ｂ…反射器
５８ａ，５８ｂ…反射器
６１…弾性波フィルタ装置
６７，６８…第１，第２の弾性波フィルタ部
７１〜７３…第１〜第３のＩＤＴ
７１ａ，７１ｂ…分割ＩＤＴ部
７１ｃ…共通バスバー
７３ａ，７３ｂ…分割ＩＤＴ部
７３ｃ…共通バスバー
７４〜７６…第４〜第６のＩＤＴ
７４ａ，７４ｂ…分割ＩＤＴ部
７４ｃ…共通バスバー
７６ａ，７６ｂ…分割ＩＤＴ部
７７ａ，７７ｂ…反射器
７８ａ，７８ｂ…反射器
８１…弾性波フィルタ装置
８２，８３…第７，第８のＩＤＴ
８４，８５…第９，第１０のＩＤＴ
９１…弾性波フィルタ装置
９２，９３…第７，第８のＩＤＴ
９４，９５…第９，第１０のＩＤＴ
【発明を実施するための最良の形態】
【００２６】
以下、図面を参照しつつ、本発明の具体的な実施形態を説明することにより、本発明を明らかにする。【００２７】
図１は、本発明の第１の実施形態に係る弾性波フィルタ装置としての弾性表面波フィルタ装置の電極構造を模式的に示す平面図である。【００２８】
本実施形態の弾性波フィルタ装置１は、圧電基板２を有する。圧電基板２としは、特に限定されないが、本実施形態では、４０±５°ＹカットＸ伝搬のＬｉＴａＯ３基板が用いられている。【００２９】
圧電基板２上に、図１に示されている電極構造を形成することにより、縦結合共振子型の弾性表面波フィルタ装置が構成されている。なお、本実施形態及び以下の実施形態では、ＤＣＳ受信用帯域フィルタとして用いられる弾性表面波フィルタ装置を説明することとする。このＤＣＳ受信用帯域フィルタでは、入力端子が不平衡端子であり、そのインピーダンスは５０Ωとされている。このＤＣＳ受信用帯域フィルタの出力端子には、入力インピーダンスが６００Ωの平衡型ミキサーＩＣが接続される。従って、出力端子としての第１，第２の平衡端子側のインピーダンスは６００Ωとすることが望まれる。すなわち、不平衡端子側のインピーダンスに対する出力端子側すなわち平衡信号端子側のインピーダンスの比は１２とされることが求められる。【００３０】
図１に示すように、弾性波フィルタ装置１は、不平衡端子３と、第１，第２の平衡端子４，５とを有する。不平衡端子３に、１ポート型弾性波共振子６を介して、第１，第２の弾性波フィルタ部７，８が接続されている。第１の弾性波フィルタ部７は、弾性波伝搬方向に沿って順に配置された第１〜第３のＩＤＴ１１〜１３を有する。また、第２の弾性波フィルタ部８は、弾性波伝搬方向に沿って順に配置された第４〜第６のＩＤＴ１４〜１６を有する。【００３１】
第１，第２の弾性波フィルタ部は、それぞれ、３個のＩＤＴを有する３ＩＤＴ型の縦結合共振子型弾性波フィルタ部である。なお、各弾性波フィルタ部７，８では、弾性波伝搬方向両端に、反射器１７ａ，１７ｂ，１８ａ，１８ｂが配置されている。【００３２】
１ポート型弾性波共振子６は、本実施形態では必ずしも必須ではないが、不平衡端子３に１ポート型弾性波共振子６の一端が接続されている。なお、本実施形態では、弾性波共振子６は、ＩＤＴ６ａと、ＩＤＴ６ａの両側に配置された反射器６ｂ，６ｃとを有する。もっとも、反射器６ｂ，６ｃは必ずしも設けられずともよい。【００３３】
本実施形態では、１ポート型弾性波共振子６を、不平衡端子３と、第１，第２の弾性波フィルタ部７，８との間に直列に接続することにより、通過帯域近傍における減衰量が大きくされ、フィルタ特性の急峻性が高められている。また、通過帯域内におけるインピーダンスを調整することが可能とされている。【００３４】
１ポート型弾性波共振子６の他端が第１，第２の弾性波フィルタ部７，８に接続されている。より具体的は、第１の弾性波フィルタ部７の第１，第３のＩＤＴ１１，１３の一端が共通接続され、１ポート型弾性波共振子６を介して不平衡端子３に接続されている。また、第２の弾性波フィルタ部８の第４，第６のＩＤＴ１４，１６の一端が共通接続され、同様に、第１の弾性波共振子６を介して不平衡端子３に接続されている。【００３５】
第１，第３のＩＤＴ１１，１３の他端はグラウンド電位に接続されている。第４，第６のＩＤＴ１４，１６の他端もグラウンド電位に接続されている。従って、第１，第２の弾性波フィルタ部７，８は、不平衡端子３に並列に接続されている。【００３６】
他方、第２のＩＤＴ１２は、弾性波伝搬方向に沿って３分割することにより設けられた第１〜第３分割ＩＤＴ部１２ａ〜１２ｃを有する。ＩＤＴ１２は、第１の共通バスバー１２ｄを有する。共通バスバー１２ｄにより、第１〜第３分割ＩＤＴ部１２ａ〜１２ｃの各一端が接続されている。【００３７】
中央の第２分割ＩＤＴ部１２ｂは、共通バスバー１２ｄに接続されている側の端部とは反対側の端部において、第１の平衡端子４に接続されている。第１，第３分割ＩＤＴ部１２ａ，１２ｃの共通バスバー１２ｄと接続されている側の端部とは反対側の端部はグラウンド電位に接続されている。【００３８】
なお、第１の弾性波フィルタ部７では、第１，第３のＩＤＴ１１，１３の第２のＩＤＴ１２側の端部には、直列重み付けが施されている。すなわち、略図的に示す浮き電極指１１ａ，１３ａを設けることにより、直列重み付けが施されている。この直列重み付けは、必須ではないが、直列重み付けを施すことにより、第１の弾性波フィルタ部におけるＩＤＴ間の状態を、第２の弾性波フィルタ部８側におけるＩＤＴ間の状態に近づけることができ、位相平衡度や振幅平衡度が高められている。【００３９】
第２の弾性波フィルタ部８においても、中央に位置しているＩＤＴである第５のＩＤＴ１５が、弾性波伝搬方向に沿って３分割することにより設けられた第１〜第３の分割ＩＤＴ部１５ａ〜１５ｃを有する。第５のＩＤＴ１５は、第１〜第３分割ＩＤＴ部１５ａ〜１５ｃの各一端を共通接続している第２の共通バスバー１５ｄを有する。第２分割ＩＤＴ部１５ｂは、共通バスバー１５ｄに接続されている側の端部とは反対側の端部において、第２の平衡端子５に接続されている。第１，第３分割ＩＤＴ部１５ａ，１５ｃは、一端側において、共通バスバー１５ｄに接続されており、他端側はそれぞれグラウンド電位に接続されている。【００４０】
本実施形態では、第１，第３のＩＤＴ１１，１３に対し、第４，第６のＩＤＴ１４，１６が反転されており、それによって、不平衡端子３から第１の平衡端子４に流れる信号の位相と、不平衡端子３から第２の平衡端子５に流れる信号の位相とが１８０度異ならされている。従って、弾性波フィルタ装置１は、平衡−不平衡変換機能を有する。【００４１】
しかも、本実施形態によれば、上記のように、第２のＩＤＴ１２及び第５のＩＤＴ１５が、それぞれ、第１〜第３分割ＩＤＴ部１２ａ〜１２ｃ，１５ａ〜１５ｃを有し、第１〜第３分割ＩＤＴ部を直列に接続した構造を有するため、不平衡端子３側のインピーダンスに対し、平衡端子４，５側のインピーダンスを１２倍とすることが可能とされている。【００４２】
すなわち、出力端子である第１，第２の平衡端子４，５側のインピーダンスの入力端子としての不平衡端子３側のインピーダンスに対する割合であるインピーダンス比を１２とすることができる。従って、平衡端子４，５に対して入力インピーダンスが６００Ω程度の平衡型ミキサーＩＣに接続した場合、インピーダンスマッチングを容易に図ることができる。また、第１の弾性波フィルタ部７及び第２の弾性波フィルタ部８のそれぞれが、弾性波伝搬方向中央に対して両側の構造が左右対称であるため、通過帯域内におけるリップルも生じ難い。これを、具体的な実施例に基づき説明する。【００４３】
いま、上記圧電基板上に下記の仕様で、第１，第２の弾性波フィルタ部７，８及び１ポート型弾性波共振子６を形成し、弾性波フィルタ装置１を作製した。【００４４】
（第１，第２の弾性波フィルタ部７，８の仕様）
ａ）交差幅：２９．３λＩ、なお、ＩＤＴの電極指ピッチで定まる波長をλＩとした。【００４５】
ｂ）ＩＤＴ１１，１３，１４，１６の電極指の本数：２８本、但し、ＩＤＴと隣り合う側の端部から５本の電極指間の電極指ピッチは残りの部分の電極指ピッチよりも相対的に狭い狭ピッチ電極指部とした。【００４６】
ｃ）ＩＤＴ１２，１５の電極指の本数：２７本、但し、ＩＤＴに隣り合う側の端部から４本の電極指が設けられている部分は狭ピッチ電極指部とした。【００４７】
ｄ）反射器１７ａ，１７ｂ，１８ａ，１８ｂの電極指の本数：８５本
メタライゼーションレシオ：０．６７、狭ピッチ電極指部のメタライゼーションレシオ：０．６５とした。【００４８】
ｅ）電極膜厚：０．０８６λＩ
なお、第２のＩＤＴ１２及び第５のＩＤＴ１５における第１〜第３分割ＩＤＴ部の電極指本数は、第１分割ＩＤＴ部：第２分割ＩＤＴ部：第３分割ＩＤＴ部＝７本：１３本：７本とした。【００４９】
（１ポート型弾性波共振子６の仕様）
電極指交差幅：２４．８λＩ
ＩＤＴの電極指の本数：２２１本
反射器の電極指の本数：１５本
メタライゼーションレシオ：０．７０
電極膜厚：０．０８９λＩ
上記のようにして作製された本実施形態の弾性波フィルタ装置１のフィルタ特性を図２に、インピーダンス特性を図３（ａ）及び（ｂ）に示す。【００５０】
図２から明らかなように、本実施形態の弾性波フィルタ装置では通過帯域内にスパイクリップルなどが生じておらず、良好なバンドパスフィルタ特性の得られていることがわかる。【００５１】
また、図３（ａ）に不平衡端子側のインピーダンス特性をインピーダンススミスチャート図で示すように、また出力端子としての平衡端子４，５側のインピーダンス特性をインピーダンススミスチャートで図３（ｂ）に示すように、不平衡端子３におけるインピーダンスと平衡端子４，５におけるインピーダンスとの比が１：１２と大きいにもかかわらず、インピーダンスがほぼ整合状態になることがわかる。すなわち、インピーダンススミスチャートの中心に、通過帯域内における共振特性が集まっていることがわかる。【００５２】
よって、本実施形態では、第２，第５のＩＤＴ１２，１５を３分割して、第１分割ＩＤＴ部〜第３分割ＩＤＴ部１２ａ〜１２ｃ，１５ａ〜１５ｃを有するように構成したことにより、インピーダンス比が非常に高いだけでなく、通過帯域内におけるリップルが生じ難く、かつインピーダンスマッチングを容易に図ることが可能とされていることがわかる。【００５３】
実施例１では、平衡端子のインピーダンスが６００Ωの例を示したが、対数などのパラメータを調整することで４００〜１２００Ω程度のインピーダンスの弾性波フィルタ装置も作製可能である。【００５４】
なお、不平衡端子と平衡端子との上記インピーダンス比を高める構成としては、図１１に示す比較例の弾性波フィルタ装置５２１も考えることができる。この比較例の弾性波フィルタ装置５２１では、不平衡信号端子５２３と、第１，第２の平衡端子５２４，５２５と第１，第２の弾性波フィルタ部５２７，５２８とが設けられている。そして、第１，第２の弾性波フィルタ部５２７，５２８は、それぞれ、３ＩＤＴ型の縦結合共振子型弾性波フィルタ部である。第１の弾性波フィルタ部５２７は、弾性波伝搬方向に沿って順に配置された第１〜第３のＩＤＴ５３１〜５３３を有し、第２の弾性波フィルタ部は、第４〜第６のＩＤＴ５３４〜５３６を有する。ここでは、第２のＩＤＴ５３２及び第５のＩＤＴ５３５が、それぞれ、第１，第２分割ＩＤＴ部５３２ａ，５３２ｂ，５３５ａ，５３５ｂを有するように構成されている。【００５５】
このようなＩＤＴを２分割することにより、第１，第２分割ＩＤＴ部が設けられたＩＤＴ５３２，５３５を用いたことを除いては、上記実施形態と同様にして構成された比較例の弾性波フィルタ装置について、減衰量−周波数特性を測定した。なお、弾性波共振子６及び反射器等については上記実施形態と同様にして構成したが、図１１では図示を省略していることを指摘しておく。【００５６】
上記のようにして測定された比較例の弾性波フィルタ装置５２１の減衰量−周波数特性を図１２に示す。図１２から明らかなように、矢印Ａ，Ａで示すスパイク状のリップルが通過帯域内に現れていることがわかる。【００５７】
これは、比較例の弾性波フィルタ装置５２１では、第１の弾性波フィルタ部５２７及び第２の弾性波フィルタ部５２８がそれぞれの中心に対して左右非対称とされているため、スパイク状リップルが大きく現れていることによると考えられる。【００５８】
これに対して、上記実施形態の弾性波フィルタ装置１では、図２からも明らかなように、通過帯域内にスパイク状リップルが現れていないことが分かる。これは、第２のＩＤＴ１２及び第５のＩＤＴ１５が、それぞれ、第１〜第３分割ＩＤＴ部を有するように構成されており、対称性が高められていることによると考えられる。【００５９】
図４は、第２の実施形態に係る弾性波フィルタ装置の電極構成を示す模式的平面図である。第２の実施形態の弾性波フィルタ装置２１は、第１の弾性波フィルタ装置１の変形例に相当する。従って、異なる点のみを説明することにより、第１の実施形態の弾性波フィルタ装置１の説明を援用することにより、第２の実施形態の弾性波フィルタ装置２１の説明を簡略化することとする。【００６０】
弾性波フィルタ装置２１では、弾性波共振子６に、第１，第２の弾性波フィルタ部２７，２８が接続されている。第１，第２の弾性波フィルタ部２７，２８は、それぞれ、弾性波伝搬方向に沿って順に配置された第１〜第３のＩＤＴ３１〜３３及び第４〜第６のＩＤＴ３４〜３６を有する。【００６１】
ここでは、第１の弾性波フィルタ部２７の中央に配置されている第２のＩＤＴ３２が第１〜第３分割ＩＤＴ部３２ａ〜３２ｃを有し、かつ第１の共通バスバー３２ｄにより共通に接続されている。【００６２】
また、両側に位置している第１，第３分割ＩＤＴ部３２ａ，３２ｃの共通バスバー３２ｄに接続されている側と反対側の端部が共通接続されて第１の平衡端子４に接続されている。中央の第２分割ＩＤＴ部３２ｂの共通バスバー３２ｄに接続されている側とは反対側の端部が、グラウンド電位に接続されている。【００６３】
同様に、第２の弾性波フィルタ部２８においても、第４〜第６のＩＤＴ３４〜３６の内、中央に位置している第５のＩＤＴ３５が、第１〜第３分割ＩＤＴ部３５ａ〜３５ｃと、第２の共通バスバー３５ｄとを有する。第１，第３分割ＩＤＴ部３５ａ，３５ｃの共通バスバー３５ｄに接続されている側と反対側の端部が第２の平衡端子５に接続されており、中央に位置している第２分割ＩＤＴ部３５ｂの共通バスバー３５ｄに接続されている側とは反対側の端部がグラウンド電位に接続されている。【００６４】
不平衡端子３から第１の平衡端子４に流れる信号の位相と、不平衡端子３から第２の平衡端子５に流れる信号の位相とが１８０度異なるように第１〜第６のＩＤＴ３１〜３６が構成されている。【００６５】
よって、平衡−不平衡変換機能を有し、かつ第１の実施形態の場合と同様に、不平衡端子３側のインピーダンスが５０Ωの場合、平衡端子４，５側のインピーダンスを４００〜１２００Ω程度にすることができる。しかも、本実施形態においても、第１の弾性波フィルタ部２７及び第２の弾性波フィルタ部２８の各々において対称性が高められているため、通過帯域内において所望でないスパイク状リップルが生じ難い。【００６６】
図５は、本発明の第３の実施形態に係る弾性波フィルタ装置の電極構造を示す模式的平面図である。【００６７】
第３の実施形態の弾性波フィルタ装置４１では、第１の実施形態の同様と圧電基板上に図示の電極構造を形成することにより、縦結合共振子型の第１，第２の弾性波フィルタ部を有する弾性表面波フィルタ装置が構成されている。【００６８】
本実施形態の弾性波フィルタ装置４１は、不平衡端子３と、第１，第２の平衡端子４，５とを有し、不平衡端子３に、第１の実施形態と同様に、１ポート型弾性波共振子６が接続されている。不平衡端子３には、この１ポート型弾性波共振子６を介して、３ＩＤＴ型の縦結合共振子型の第１，第２の弾性波フィルタ部４７，４８が接続されている。【００６９】
第１の弾性波フィルタ部４７は、弾性波伝搬方向に順に配置された第１〜第３のＩＤＴ５１〜５３を有する。ＩＤＴ５１，５３は、それぞれ、弾性波伝搬方向に沿って２分割することにより設けられた第１，第２の分割ＩＤＴ部５１ａ，５１ｂ，５３ａ，５３ｂを有する。第１のＩＤＴ５１は、分割ＩＤＴ部５１ａ，５１ｂの各一端を共通接続している共通バスバー５１ｃを有する。同様に、第３のＩＤＴ５３は、共通バスバー５３ｃを有する。第２のＩＤＴ５２の一端が、１ポート型弾性波共振子６を介して不平衡端子３に接続されている。ＩＤＴ５２の他端は、グラウンド電位に接続されている。【００７０】
第１のＩＤＴ５１においては、第１，第２の分割ＩＤＴ部５１ａ，５１ｂは共通バスバー５１ｃにより直列に接続されている。同様に、第３のＩＤＴ５３においても第１，第２分割ＩＤＴ部５３ａ，５３ｂが共通バスバー５３ｃにより直列に接続されている。ここでは、弾性波伝搬方向両側に位置する第１分割ＩＤＴ部５１ａの他端と、第２分割ＩＤＴ部５３ｂの他端とが共通接続され、第１の平衡端子４に接続されている。また、相対的に内側に位置する第２分割ＩＤＴ部５１ｂの他端と、第１分割ＩＤＴ部５３ａの他端とが、グラウンド電位に接続されている。【００７１】
第２の弾性波フィルタ部４８においても、中央に位置している第５のＩＤＴ５５の一端が１ポート型弾性波共振子６を介して不平衡端子３に接続されており、他端がグラウンド電位に接続されている。そして、第４のＩＤＴ５４では、共通バスバー５４ｃにより第１，第２分割ＩＤＴ部５４ａ，５４ｂが直列に接続されている。分割ＩＤＴ部５４ａの共通バスバー５４ｃに接続されている側とは反対側の端部と、ＩＤＴ５６の第２分割ＩＤＴ部５６ｂの共通バスバー５６ｃに接続されている側とは反対側の端部とは共通接続され、第２の平衡端子５に接続されている。また、第２の弾性波フィルタ部４８において相対的に中央側に位置している分割ＩＤＴ部である第２分割ＩＤＴ部５４ｂの他端はグラウンド電位に接続されており、第１分割ＩＤＴ部５６ａの他端もグラウンド電位に接続されている。【００７２】
第１の弾性波フィルタ部４７では、第１〜第３のＩＤＴ５１〜５３が設けられている部分の弾性波伝搬方向の両側に反射器５７ａ，５７ｂが配置されている。同様に、第２の弾性波フィルタ部４８においても、反射器５８ａ，５８ｂが設けられている。【００７３】
本実施形態においても、不平衡端子３から第１の平衡端子４への信号の位相と、不平衡端子３から第２の平衡端子５に流れる信号の位相とが１８０度異なるように第１〜第６のＩＤＴ５１〜５６が設けられている。より具体的には、第２のＩＤＴ５２に対し、第５のＩＤＴ５５の位相が反転されており、それによって、平衡−不平衡変換機能が実現されている。【００７４】
また、上記のように、不平衡端子３に並列に第１，第２の弾性波フィルタ部４７，４８が接続されており、各弾性波フィルタ部４７，４８が、弾性波伝搬方向両側に位置する第１，第３のＩＤＴ５１，５３及び第４，第６のＩＤＴ５４，５６を、第１，第２分割ＩＤＴ部５１ａ，５１ｂ，５３ａ，５３ｂ，５４ａ，５４ｂ，５６ａ，５６ｂを直列に接続した構造を有するように形成しており、第１のＩＤＴ５１の第１分割ＩＤＴ部５１ａと第３のＩＤＴ５３の第２分割ＩＤＴ部５３ｂの各他端を共通接続して第１の平衡端子４に、第４のＩＤＴ５４の第１分割ＩＤＴ部５４ａと第６のＩＤＴ５６の第２分割ＩＤＴ部５６ｂの各他端を共通接続して第２の平衡端子５に接続している。従って、不平衡端子３側のインピーダンスを５０Ωとしたとき、平衡端子４，５におけるインピーダンスを４００〜１２００Ωとすることが可能とされている。【００７５】
また、本実施形態においても、第１の弾性波フィルタ部４７及び第２の弾性波フィルタ部４８それぞれにおいて対称性が高められているので、通過帯域内において、所望でないリップルが生じ難い。なお、第３の実施形態においても、１ポート型弾性波共振子６は必ずしも設けられずともよい。また、１ポート型弾性波共振子６における反射器６ｂ，６ｃは設けられずともよい。【００７６】
図６は、第４の本実施形態に係る弾性波フィルタ装置の電極構造を示す模式的平面図である。第４の実施形態の弾性波フィルタ装置６１は、第３の実施形態の弾性波フィルタ装置４１の変形例に相当する。従って、異なる部分のみを説明し、その他の部分については第３の実施形態の説明を援用することとする。【００７７】
第４の実施形態の弾性波フィルタ装置６１では、第１，第２の弾性波フィルタ部６７，６８が、第１，第２の弾性波フィルタ部４７，４８の代わりに設けられている。【００７８】
第１，第２の弾性波フィルタ部６７，６８は、それぞれ、３ＩＤＴ型の縦結合共振子型弾性波フィルタ部である。第１の弾性波フィルタ部６７は、弾性波伝搬方向に沿って配置された第１〜第３のＩＤＴ７１〜７３を有する。ＩＤＴ７１〜７３が設けられている部分の弾性波伝搬方向両側に反射器７７ａ，７７ｂが配置されている。【００７９】
本実施形態においても、第１のＩＤＴ７１と、第３のＩＤＴ７３とが、それぞれ、弾性波伝搬方向に沿って２分割することにより設けられた第１，第２分割ＩＤＴ部７１ａ，７１ｂ，７３ａ，７３ｂを有する。本実施形態では、第１の平衡端子４に接続されている部分は、中央に位置している第２のＩＤＴ７２に近い側の分割ＩＤＴ部である。すなわち、第１のＩＤＴ７１の第２分割ＩＤＴ部７１ｂと、第３のＩＤＴの７３の第１分割ＩＤＴ部７３ａとが共通接続されて第１の平衡端子４に接続されている。そして、弾性波伝搬方向外側に位置している分割ＩＤＴ部、すなわち第１のＩＤＴ部７１の第１分割ＩＤＴ部７１ａの他端がグラウンド電位に、一端が共通バスバー７１ｃに接続されている。第３のＩＤＴ７３においても、同様に、弾性波伝搬方向外側に位置している第２分割ＩＤＴ部７３ｂの他端がグラウンド電位に一端が共通バスバー７３ｃに接続されている。【００８０】
同様に、第２の弾性波フィルタ部６８においても、第１〜第３のＩＤＴ７４〜７６と、反射器７８ａ，７８ｂとが設けられており、第４，第６のＩＤＴ７４，７６が、それぞれ、第１，第２の分割ＩＤＴ部７４ａ，７４ｂ，７６ａ，７６ｂを有する。そして、内側に位置している第４のＩＤＴ７４の第２分割ＩＤＴ部７４ｂと、第６のＩＤＴ７２の第１分割ＩＤＴ部７６ａの他端が共通接続されて第２の平衡端子５に接続されており、各一端が共通バスバー７４ｃ，７６ｃに接続されている。そして、弾性波伝搬方向外側に位置している第１分割ＩＤＴ部７４ｄ及び第２分割ＩＤＴ部７６ｂの他端が、グラウンド電位に接続されており、各一端が共通バスバー７４ｃ，７６ｃに接続されている。【００８１】
従って、本実施形態において、第３の実施形態と同様に、第１，第２の弾性波フィルタ部６７，６８の各々において左右対称とされているため、通過帯域内において所望でないスパイク状リップルが生じ難い。しかも、不平衡端子のインピーダンスを５０Ωとした場合、平衡端子４，５側のインピーダンスを４００〜１２００Ωとすることが可能とされている。【００８２】
なお、図７の弾性波フィルタ装置８１は、第３の実施形態の弾性波フィルタ装置４１の変形例に相当する。弾性波フィルタ装置８１では、第１〜第３のＩＤＴ５１〜５３の弾性波伝搬方向両側に、さらに、第８，第９のＩＤＴ８２，８３が設けられていること、第２の弾性波フィルタ部において、第４〜第６のＩＤＴ５４〜５６の弾性波伝搬方向両側に、第９，第１０のＩＤＴ８４，８５が設けられていることを除いては、第３の実施形態の弾性波フィルタ装置４１と同様に構成されている。ここでは、第７，第８のＩＤＴ８２，８３の各一端が第２のＩＤＴ５２の一端と共通接続されて、不平衡端子３に接続されている。第７，第８のＩＤＴ８２，８３の他端はグラウンド電位接続されている。同様に、第２の弾性波フィルタ部側においても、第９，第１０のＩＤＴ８４，８５の各一端が第５のＩＤＴ５５の一端と共通接続され、不平衡端子３に接続されており、ＩＤＴ８４，８５の他端がグラウンド電位に接続されている。【００８３】
このように、第３の実施形態の弾性波フィルタ装置４１の第１〜第３のＩＤＴ５１〜５３及び第４〜第６のＩＤＴ５４〜５６に、さらにそれぞれ、２個のＩＤＴを追加し、５ＩＤＴ型の縦結合共振子型の弾性波フィルタ部により第１，第２の弾性波フィルタ部を設けてもよい。【００８４】
図８は、第４の実施形態の弾性波フィルタ装置６１の変形例に相当する弾性波フィルタ装置を示す模式的平面図である。本実施形態の弾性波フィルタ装置９１では、図７に示した弾性波フィルタ装置８１と同様に、第１の弾性波フィルタ部において、第７，第８のＩＤＴ９２，９３が設けられており、第２の弾性波フィルタ部において、第９，第１０のＩＤＴ９４，９５が設けられている。第７，第８のＩＤＴ９２，９３の一端が、第２のＩＤＴ７２の一端と共通接続されて不平衡端子３に接続されており、第２の弾性波フィルタ部側においても、第９，第１０のＩＤＴ９４，９５の一端が第５のＩＤＴ７５の一端と共通接続されて不平衡端子３に接続されている。【００８５】
このように、第４の実施形態の弾性波フィルタ装置６１においても、第１，第２の弾性波フィルタ部を５ＩＤＴ型の縦結合共振子型弾性波フィルタ部により構成してもよい。【００８６】
なお、上記弾性表面波フィルタ装置に用いた圧電基板については、４０±５°ＹカットＸ伝搬ＬｉＴａＯ３基板にかぎらず、他の結晶方位のＬｉＴａＯ３基板を用いてもよく、また６４°〜７２°ＹカットＸ伝搬のＬｉＮｂＯ３基板や、４１°ＹカットＸ伝搬のＬｉＮｂＯ３基板などの様々な結晶方位のＬｉＮｂＯ３基板などを用いてもよい。【００８７】
また、上述してきた第１〜第４の実施形態及び各変形例では、圧電基板上に図示の電極構造を形成してなる弾性表面波フィルタ装置につき説明したが、本発明は、圧電体と、誘電体との界面に上述した電極構造を形成してなる、弾性境界波フィルタ装置であってもよい。すなわち、本発明の弾性波フィルタ装置は、弾性表面波フィルタ装置だけでなく、弾性境界波フィルタ装置にも適用することができ、弾性波とは、弾性表面波だけでなく、弾性境界波などの他の弾性波も含むものとする。【００８８】
本発明に係る弾性波フィルタ装置は、様々な帯域フィルタとして用いられるが、例えば携帯電話機のＲＦ段のデュプレクサとして好適に用いられる。図９は、本発明の他の実施形態としてのデュプレクサの電極構造を示す模式的平面図である。デュプレクサ１０１は、アンテナ端子１０２を有する。そして、アンテナ端子１０２に、第１の実施形態の弾性波フィルタ装置１が接続されている。すなわち、弾性波フィルタ装置１の不平衡端子がアンテナ端子１０２に接続されている。【００８９】
この弾性波フィルタ装置１は、デュプレクサ１０１において、受信側帯域フィルタとして用いられる。そして、弾性波フィルタ装置１の第１，第２の平衡端子４，５が、次段に接続される平衡型ミキサーＩＣなどに接続される。【００９０】
他方、アンテナ端子１０２には、送信側帯域フィルタ１０３も接続されている。送信側帯域フィルタ１０３は、ラダー型回路構成を有する弾性波フィルタ装置であり、複数の直列腕共振子Ｓ１〜Ｓ３及び並列腕共振子Ｐ１，Ｐ２を有する。送信側帯域フィルタ１０３は、一端が上記のようにアンテナ端子１０２に接続されており、他端が送信端子１０４とされている。
【図１】
2007129548.tif 000003
【図２】
2007129548.tif 000004
【図３】
2007129548.tif 000005
【図４】
2007129548.tif 000006
【図５】
2007129548.tif 000007
【図６】
2007129548.tif 000008
【図７】
2007129548.tif 000009
【図８】
2007129548.tif 000010
【図９】
2007129548.tif 000011
【図１０】
2007129548.tif 000012
【図１１】
2007129548.tif 000013
【図１２】
2007129548.tif 000014
【国際調査報告】
2007129548.tif 000015
2007129548.tif 000016
2007129548.tif 000017
2007129548.tif 000018